(57)【要約】 【課題】３次元画像データ処理方法及び３次元画像データ処理方法により表示する表示装置を提供すること。【解決手段】３次元画像データ処理方法は、フレームのイネーブル区間に第１伝送信号を受信して左眼用画像データまたは右眼用画像データに変換し、フレームのブランキング区間に第２伝送信号を受信して次のフレームの画像データを識別するための識別データに変換し、識別データを検出して次のフレームの画像データが、左眼用画像データか右眼用画像データかを識別し、次のフレームの識別結果に従って画像データを処理する。【選択図】図１
2012209930.tif 000002
【特許請求の範囲】
【請求項１】
画像を表示する表示パネルと、
フレームのイネーブル区間に第１伝送信号を受信して左眼用画像データ、または、右眼用画像データに復調し、前記フレームのブランキング区間に第２伝送信号を受信して次のフレームの画像データを識別するための識別データに復調する信号受信部と、
前記識別データを検出して前記次のフレームの画像データが左眼用画像データか右眼用画像データかを識別するタイミング制御部と、
前記タイミング制御部からの識別結果に従って、前記画像データを処理して前記表示パネルを駆動するパネル駆動部と、を含むことを特徴とする表示装置。
【請求項２】
前記フレームのイネーブル区間に、前記左眼用画像データまたは前記右眼用画像データを前記第１伝送信号に変調して伝送し、前記フレームのブランキング区間に前記識別データを前記第２伝送信号に変調して伝送する信号伝送部をさらに含むことを特徴とする請求項１に記載の表示装置。
【請求項３】
前記信号伝送部は、記画像データが入力されるチャネルと制御信号が入力されるチャネルを含み、
前記識別データは前記画像データが入力されるチャネルに入力されることを特徴とする請求項２に記載の表示装置。
【請求項４】
前記イネーブル区間に前記左眼用画像データまたは前記右眼用画像データを前記信号伝送部に供給し、前記ブランキング区間に前記識別データを前記信号伝送部に供給するスケーラをさらに含むことを特徴とする請求項２に記載の表示装置。
【請求項５】
前記信号伝送部は、
前記左眼用画像データまたは前記右眼用画像データを、第１パルス信号に変調する第１信号変調部と、
前記第１パルス信号を位相が反転した一組の第１差動信号に変調して伝送する第２信号変調部と、を含むことを特徴とする請求項２に記載の表示装置。
【請求項６】
前記信号受信部は、
前記第１差動信号を受信して前記第１パルス信号に復調する第１信号復調部と、
前記第１パルス信号を、前記左眼用画像データまたは右眼用画像データに復調する第２信号復調部と、を含むことを特徴とする請求項５に記載の表示装置。
【請求項７】
前記第１信号変調部は、前記左眼用画像データに対応する左眼用識別データまたは前記右眼用画像データに対応する右眼用識別データを第２パルス信号に変調し、
前記第２信号変調部は前記第２パルス信号を位相が反転した一組の第２差動信号に変調して伝送することを特徴とする請求項６に記載の表示装置。
【請求項８】
前記タイミング制御部は、
前記ブランキング区間のうち選択区間に検出された前記識別データを用いて前記次のフレームの画像データが左眼用画像データか右眼用画像データかを決定することを特徴とする特徴とする請求項１に記載の表示装置。
【請求項９】
前記タイミング制御部は、
前記次のフレームの識別結果に従って前記画像データに該当するデータ電圧の極性を制御する反転制御信号を生成することを特徴とする請求項１に記載の表示装置。
【請求項１０】
前記パネル駆動部は、
前記左眼用画像データまたは前記右眼用画像データをデータ電圧に変換し、
前記データ電圧を前記反転制御信号に基づいて基準電圧対応第１極性または第２極性の電圧に調節して前記表示パネルに出力することを特徴とする請求項９に記載の表示装置。
【発明の詳細な説明】
【技術分野】
【０００１】
本発明は３次元画像データ処理方法及び３次元画像データ処理方法により表示する表示装置に関する。より詳細には、３次元画像の表示品質を改善するための３次元画像データ処理方法及び３次元画像データ処理方法により表示する表示装置に関する。
【背景技術】
【０００２】
一般的に液晶表示装置は２次元平面画像を表示する。最近、ゲーム、映画などの分野で３次元立体画像に対する需要が増加し、液晶表示装置を用いて３次元立体画像を表示している。
【０００３】
３次元立体画像は、人の両目を通した両眼時差（ｂｉｎｏｃｕｌａｒ  ｐａｒａｌｌａｘ）を用いて立体画像を表示する。例えば、人の両眼一定間隔で離れて存在するので、それぞれの眼で異なる角度で観察した画像は脳内に入力される。立体画像表示装置は人の両眼視差を用いている。
【０００４】
両眼時差を用いる方式として、メガネ方式と非メガネ方式（ａｕｔｏ−ｓｔｅｒｅｏｓｃｏｐｉｃ）がある。メガネ方式は両眼にそれぞれ違った偏光軸を有する偏光フィルタによる受動的（ｐａｓｓｉｖｅ）偏光メガネ（Ｐｏｌａｒｉｚｅｄ  Ｇｌａｓｓｅｓ）方式と、時間分割された左眼画像と右眼画像を周期的に表示し、この周期に同期された左眼シャッタ及び右眼シャッタを開閉するシャッタメガネを用いる能動的（ａｃｔｉｖｅ）シャッタメガネ（Ｓｈｕｔｔｅｒ  Ｇｌａｓｓ）方式などがある。
【０００５】
このように３次元画像を表示する表示装置では、左眼用画像データ及び右眼用画像データの処理、また、表示される画像を正確に視認するために左眼画像と右眼画像を区分する信号が必要である。左眼画像と右眼画像を区分する信号がなければ、画像データとそれを処理するための制御信号との間に同期が合わないので必要としない画像を表示して３次元画像の表示品質が低下する問題が発生する。
【先行技術文献】
【特許文献】
【０００６】
【特許文献１】米国特許６，５２９，１７５号明細書
【特許文献２】特開平０７−０４８８８３号公報
【特許文献３】特開２０１０−０９３７４０号公報
【特許文献４】韓国公開特許第２００２−００２７４１３号公報
【発明の概要】
【発明が解決しようとする課題】
【０００７】
そこで、本発明は上記課題に鑑みてなされたものであって、本発明の目的は、左眼用画像データ及び右眼用画像データを識別する識別信号を簡単に伝送する３次元画像データ処理方法を提供することにある。
【０００８】
本発明の他の目的は、３次元画像データ処理方法により表示する表示装置を提供することにある。
【課題を解決するための手段】
【０００９】
本発明の一実施形態に係る３次元画像データ処理方法は、フレームのイネーブル区間に第１伝送信号を受信して左眼用画像データまたは右眼用画像データに変換し、前記フレームのブランキング区間に第２伝送信号を受信して次のフレームの画像データを識別する識別データに変換し、前記識別データを検出して前記次のフレームの画像データが左眼用画像データか右眼用画像データかを識別し、前記次のフレームの識別結果に従って前記画像データを処理することを特徴とする。
【００１０】
前記第１伝送信号に変換して伝送することは、前記左眼用画像データまたは前記右眼用画像データを第１パルス信号に変換し、前記第１パルス信号を位相が反転した一組の第１差動信号に変換して伝送してもよい。
【００１１】
前記左眼用画像データまたは右眼用画像データに変換することは、前記第１差動信号を受信して前記第１パルス信号に変換して、前記第１パルス信号を用いて前記左眼用画像データまたは右眼用画像データを生成してもよい。
【００１２】
前記第２伝送信号に変換して伝送することは、前記左眼用画像データに対応する左眼用識別データまたは前記右眼用画像データに対応する右眼用識別データを第２パルス信号に変換し、前記第２パルス信号を位相が反転した一組の第２差動信号に変換して伝送してもよい。
【００１３】
前記左眼用画像データまたは右眼用画像データに変換することは、前記第２差動信号を受信して前記第２パルス信号に変換し、前記第２パルス信号を用いて前記左眼用識別データまたは前記右眼用識別データを生成してもよい。
【００１４】
前記次のフレームの画像データが、左眼用画像データかまたは右眼用画像データかを識別することは、前記ブランキング区間中、選択区間の間に前記識別データを検出し、前記選択された区間の間に検出された前記識別データを用いて前記次のフレームの画像データが左眼用画像データかまたは右眼用画像データかを決めてもよい。
【００１５】
前記次のフレームの識別結果に従って前記画像データに該当するデータ電圧の極性を制御する反転制御信号を生成してもよい。
【００１６】
前記画像データを処理することは、前記左眼用画像データまたは前記右眼用画像データを、データ電圧に変換し、前記データ電圧を前記反転制御信号に基づいて基準電圧対応第１極性または第２極性の電圧で出力してもよい。
【００１７】
本発明の一実施形態に係る表示装置は、表示パネル、信号受信部、タイミング制御部、及びパネル駆動部を含む。前記表示パネルは画像を表示する。前記信号受信部は、フレームのイネーブル区間に第１伝送信号を受信し、左眼用画像データまたは右眼用画像データに変換し、前記フレームのブランキング区間に第２伝送信号を受信して次のフレームの画像データを識別する識別データに変換する。前記タイミング制御部は、前記識別データを検出して前記次のフレームの画像データが左眼用画像データか右眼用画像データかを識別する。前記パネル駆動部は、前記タイミング制御部からの識別結果に従って前記画像データを処理して前記表示パネルを駆動する。
【００１８】
前記フレームのイネーブル区間に前記左眼用画像データまたは前記右眼用画像データを第１伝送信号に変換して伝送し、前記フレームのブランキング区間に前記識別データを第２伝送信号に変換して伝送する信号伝送部をさらに含んでもよい。
【００１９】
前記信号伝送部は前記画像データが入力されるチャネルと制御信号が入力されるチャネルとを含み、前記識別データは前記画像データが入力されるチャネルに入力されてもよい。
【００２０】
前記イネーブル区間に前記左眼用または前記右眼用画像データを前記信号伝送部に供給し、前記ブランキング区間に前記識別データを前記信号伝送部に供給するスケーラをさらに含んでもよい。
【００２１】
前記タイミング制御部は、前記ブランキング区間中、選択区間に検出された前記識別データを用いて前記次のフレームの画像データが左眼用画像データか右眼用画像データかを決めてもよい。
【００２２】
前記タイミング制御部は、前記次のフレームの識別結果に従って、前記画像データに該当するデータ電圧の極性を制御する反転制御信号を生成してもよい。
【００２３】
前記パネル駆動部は、前記左眼用画像データまたは前記右眼用画像データをデータ電圧に変換し、前記データ電圧を前記反転制御信号に基づいて対応する基準電圧を第１極性または第２極性の電圧に調節して前記表示パネルに出力してもよい。
【発明の効果】
【００２４】
本発明によれば、フレームのブランキング区間に受信されたフレームの識別データに基づいて受信されたデータフレームが、左眼用画像データか右眼用画像データかを正確に判断することによって、３次元画像の表示品質を向上させることができる。また、フレーム識別データを受信するための別途のピンが不要なので回路構成を簡単にすることができる。
【図面の簡単な説明】
【００２５】
【図１】本発明の一実施形態に係る表示装置を示すブロック図である。
【図２】図１のインターフェース部を示すブロック図である。
【図３】図２の信号伝送部の入力ピン及び信号受信部の出力ピンに対応する複数の信号を現わす図である。
【図４】図２の信号伝送部によって変調したデータ差動信号及びクロック差動信号を示す信号タイミング図である。
【図５】図１のタイミング制御部の入力信号を示す信号タイミング図である。
【図６】図１の識別部の動作を説明するためのフローチャートである。
【図７】比較例に係る表示装置の駆動方法を説明するためのタイミング図である。
【図８】図１の表示装置の駆動方法を説明するためのタイミング図である。
【発明を実施するための最良の形態】
【００２６】
以下、図面を参照して本発明の望ましい実施形態をより詳細に説明することにする。
【００２７】
図１は本発明の一実施形態に係る表示装置のブロック図である。図１を参照すれば、表示装置はスケーラ（ｓｃａｌｅｒ）１００、インターフェース部２００、タイミング制御部３００、パネル駆動部４００及び表示パネル５００を含む。
【００２８】
スケーラ１００は画像データＤＡＴＡ及び制御信号ＣＯＮＴＲを受信する。スケーラ１００は、画像データＤＡＴＡを表示パネル５００の解像度に対応するデータフレームにスケーリングと、制御信号ＣＯＮＴＲに基づいてデータフレームの画像データＤＡＴＡを出力する。制御信号ＣＯＮＴＲは水平同期信号、垂直同期信号、データイネーブル信号及びドットクロック信号を含む。例えば、スケーラ１００は、垂直同期信号に基づいてフレーム区間中、第１区間（イネーブル区間）に画像データを出力し、フレーム区間中、第２区間（ブランキング区間）には画像データを出力しない。
【００２９】
例えば、スケーラ１００は画像データが２次元画像であるか、または、３次元画像であるかに対する画像モード信号ＭＯＤＥ＿Ｓを受信する。スケーラ１００は、画像データを表示パネル５００の解像度のデータフレームにスケーリングし、フレームのイネーブル区間にデータフレームの画像データ及び制御信号と、をインターフェース部２００に供給する。
【００３０】
画像データが３次元モードのとき、スケーラ１００は画像データを左眼用画像データと右眼用画像データに分離し、左眼用画像データを左眼用データフレームでスケーリングし、右眼用画像データを右眼用データフレームにスケーリングする。スケーラ１００は、第１フレームのイネーブル区間に左眼用データフレームの画像データと制御信号をインターフェース部２００に供給し、第２フレームのイネーブル区間に右眼用データフレームの画像データと制御信号をインターフェース部２００に供給する。スケーラ１００は第１フレームのブランキング区間に次のフレームに伝送される右眼用画像データに対応する右眼用識別データをインターフェース部２００に供給する。また、スケーラ１００は第２フレームのブランキング区間に次のフレームに転送される左眼用画像データに対応する左眼用識別データをインターフェース部２００に供給する。
【００３１】
インターフェース部２００は信号伝送部２１０及び信号受信部２２０を含む。信号伝送部２１０は、スケーラ１００から供給された画像データ、識別データ及び制御信号をインターフェース部２００のインターフェース方式により伝送信号に変換して信号受信部２２０に伝送する。信号受信部２２０は受信された伝送信号を用いて本来の信号で復元する。本来の信号は、画像データ、識別データ及び制御信号を含む。例えば、２次元モードの場合、信号伝送部２１０はイネーブル区間に、画像データと制御信号を伝送信号に変調して信号受信部２２０に伝送する。信号受信部２２０は伝送信号を画像データと制御信号に復調する。
【００３２】
３次元モードの場合、イネーブル区間に、信号伝送部２１０は画像データと制御信号を第１伝送信号に変調して、信号受信部２２０に伝送し、信号受信部２２０は第１伝送信号を画像データと制御信号に復調する。ブランキング区間に、信号伝送部２１０は識別データを第２伝送信号に変調して信号受信部２２０に伝送して信号受信部２２０は第２伝送信号を識別データに復調する。
【００３３】
例えば、信号伝送部２１０は、第１フレームのイネーブル区間に左眼用データフレームの画像データと制御信号を第１伝送信号に変換して信号受信部２２０に伝送し、第１フレームのブランキング区間に次のフレームの情報の右眼用識別データを第２伝送信号に変換して信号受信部２２０に伝送する。また、信号伝送部２１０は第２フレームのイネーブル区間に右眼用データフレームの画像データと制御信号を第１伝送信号に変換して信号受信部２２０に伝送し、第２フレームのブランキング区間に次のフレームの情報である、左眼用識別データを第２伝送信号に変換して信号受信部２２０に伝送する。
【００３４】
信号受信部２２０は、第１フレームのイネーブル区間に受信された第１伝送信号を、左眼用データフレームの画像データと制御信号に変換してタイミング制御部３００に供給する。信号受信部２２０は第１フレームのブランキング区間に受信された第２伝送信号を右眼用識別データに変換してタイミング制御部３００に供給する。また、信号受信部２２０は第２フレームのイネーブル区間に受信された第１伝送信号を右眼用データフレームの画像データと制御信号に変換してタイミング制御部３００に供給する。信号受信部２２０は第２フレームのブランキング区間に受信された第２伝送信号を左眼用識別データに変換してタイミング制御部３００に供給する。
【００３５】
タイミング制御部３００は識別部３１０及びメモリ３２０を含む。タイミング制御部３００は、信号受信部２２０から供給された画像データと制御信号に基づいてパネル駆動部４００の駆動を制御する。タイミング制御部３００はパネル駆動部４００の駆動を制御するデータ制御信号及びゲート制御信号を生成する。
【００３６】
識別部３１０は、３次元モードの場合、左眼用識別データまたは右眼用識別データを検出して次のフレームが左眼用であるか、または、右眼用であるかを識別する。即ち、識別部３１０は、左眼用識別データが検出されれば次のフレームを左眼用として決定し、右眼用識別データが検出されれば次のフレームを右眼用として決定する。メモリ３２０は、基準値を保存し、識別部３１０はブランキング区間中、基準値によって設定された設定区間の間受信された左眼用識別データまたは右眼用識別データを検出する。
【００３７】
タイミング制御部３００は識別部３１０として決定された画像データのデータ情報に基づいてデータ駆動部４１０を制御する。例えば、３次元モードであり、１画面画像は左眼用画像と右眼用画像からなり、これによって、表示装置は左眼用画像を表示するための左眼用画像データと右眼用画像を表示するための右眼用画像データを各々処理する。即ち、タイミング制御部３００は次のフレームのデータ情報に基づいて、ある画面画像に対応する左眼用画像データと右眼用画像データのデータ電圧が基準電圧対対比同一極性を有するように反転制御信号を生成する。データ駆動部４１０は、反転制御信号に基づいてタイミング制御部３１０から受信された左眼用画像データ及び右眼用画像データを、対応する基準電圧に基づいて第１極性（＋）、または、第２極性（−）を有するデータ電圧に変換する。
【００３８】
また、タイミング制御部３００は、３次元モードに用いられたメガネ部６００の動作を制御する。例えば、メガネ部６００は左眼用液晶シャッタ６１０と右眼用液晶シャッタ６２０を含む。タイミング制御部３００は、次のフレームのデータ情報に基づいてメガネ部６００に左眼用液晶シャッタ６１０及び右眼用液晶シャッタ６２０の開閉を制御するための信号を供給する。メガネ部６００は、フレームのブランキング区間に同期して左眼用液晶シャッタ６１０及び右眼用液晶シャッタ６２０を選択的に開閉する。例えば、メガネ部６００は、イネーブル区間に左眼用画像データを表示パネル５００に出力する第１フレームのブランキング区間に左眼用液晶シャッタ６１０を開き、これとは反対に右眼用液晶シャッタ６２０を閉じる。また、メガネ部６００はイネーブル区間に右眼用画像データを表示パネル５００に出力する第２フレームのブランキング区間に右眼用液晶シャッタ６２０を開き、これとは反対に左眼用液晶シャッタ６１０を閉じる。従って、表示パネル５００に表示される画像に同期してメガネ部６００の液晶シャッタを正確に開閉できるので、３次元画像の表示品質を向上させることができる。
【００３９】
パネル駆動部４００はデータ駆動部４１０及びゲート駆動部４２０を含む。データ駆動部４１０は、データ制御信号に基づいてデータを対応する基準電圧によって第１極性及び第２極性のデータ電圧に変換して表示パネル５００に供給する。ゲーミング駆動部４２０は、ゲート制御信号に基づいてデータ電圧が表示パネル５００に出力されるタイミングに同期してゲート信号を表示パネル５００に出力する。
【００４０】
表示パネル５００は画像を表示する複数の画素を含む。各画素Ｐは、データ配線ＤＬとゲート配線ＧＬに接続されたスイッチング素子ＴＲと、スイッチング素子ＴＲと接続された液晶キャパシタＣＬＣを含む。即ち、画素Ｐは、スイッチング素子ＴＲが、ゲート配線ＧＬに印加されたゲート信号によってターンオンされれば、データ配線ＤＬに伝えられたデータ電圧を液晶キャパシタＣＬＣに充電することによって画像を表示する。
【００４１】
図２は、図１のインターフェース部を示すブロック図である。図３は、図２の信号伝送部の入力ピン及び信号受信部の出力ピンに対応する複数の信号を現わす図である。
【００４２】
図２及び図３を参照すれば、インターフェース部２００は信号伝送部２１０と信号受信部２２０を含む。以下、インターフェース部２００がＬＶＤＳ（Ｌｏｗ  ｖｏｌｔａｇｅ  ｄｉｆｆｅｒｅｎｔｉａｌ  ｓｉｇｎａｌｉｎｇ）インターフェース方式として、８ビットのレッド、グリーン、及びブルーデータを伝送及び受信する場合を例として説明する。
【００４３】
信号伝送部２１０は、第１信号変調部２１１、第１位相同期部（Ｐｈａｓｅ−Ｌｏｃｋｅｄ  Ｌｏｏｐ：ＰＬＬ）２１２、及び第２信号変調部２１３を含む。信号伝送部２１０は、複数のデータ入力チャネルＴｘＩＮ０〜ＴｘＩＮ２７とクロック入力チャネルＴｘＣＬＫ＿ＩＮを含み、４個のデータ出力チャネルＴｘＯＵＴ０〜ＴｘＯＵＴ３）とクロック出力チャネル（ＴｘＣＬＫ＿ＯＵＴ）を含む。
【００４４】
第１信号変調部２１１は、データ入力チャネル（ＴｘＩＮ０〜ＴｘＩＮ２７）から受信した８ビットのレッドデータＲ［０］〜Ｒ［７］、グリーンデータＧ［０］〜Ｇ［７］、ブルーデータＢ［０］〜Ｂ［７］、水平同期信号Ｈｓｙｎｃ、垂直同期信号Ｖｓｙｎｃ、データイネーブル信号ＤＥ、リセット信号ＲＳを４個のデータパルス信号に変換する。
【００４５】
第１ＰＬＬ２１２は、クロック入力チャネルＴｘＣＬＫ＿ＩＮから受信されたドットクロック信号Ｄｏｔ＿Ｃｌｋを用いてクロックパルス信号を生成する。
【００４６】
第２信号変調部２１３は、４個のデータパルス信号を用いて位相が互いに反転した４組のデータ差動信号を生成し、クロックパルス信号を用いて位相が互いに反転した１組のクロック差動信号を生成する。即ち、データ差動信号及びクロック差動信号は、信号伝送部２１０から生成された伝送信号である。
【００４７】
信号伝送部２１０は４組のデータ差動信号を４個の出力チャネルＴｘＯＵＴ０〜ＴｘＯＵＴ３を介して信号受信部２２０に伝送し、１組のクロック差動信号を１個のクロック出力チャネルＴｘＣＬＫ＿ＯＵＴを介して信号受信部２２０に伝送する。
【００４８】
信号受信部２２０は、第１信号復調部２２１、第２信号復調部２２２及び第２ＰＬＬ２２３を含む。信号受信部２２０は、４個のデータ入力チャネルＲｘＩＮ０〜ＲｘＩＮ３とクロック入力チャネルＲｘＣＬＫ＿ＩＮと、複数のデータ出力チャネルＲｘＯＵＴ０〜ＲｘＯＵＴ２７とクロック出力チャネルＲｘＣＬＫ＿ＯＵＴを含む。
【００４９】
第１信号復調部２２１は、データ入力チャネルＲｘＩＮ〜ＲｘＩＮ３から受信された４組のデータ差動信号を４個のデータパルス信号に変換し、クロック入力チャネルＲｘＣＬＫ＿ＩＮから受信された一組のクロック差動信号を１個のクロックパルス信号に変換する。
【００５０】
第２信号復調部２２２は、４個のデータパルス信号を用いて本来データである、８ビットのレッドデータＲ［０］〜Ｒ［７］、グリーンデータＧ［０］〜Ｇ［７］、ブルーデータＢ［０］〜Ｂ［７］、水平同期信号Ｈｓｙｎｃ、垂直同期信Ｖｓｙｎｃ、データイネーブル信号ＤＥ、リセット信号ＲＳに変換する。
【００５１】
第２ＰＬＬ２２３は、クロックパルス信号を用いて本来信号である、ドットクロック信号Ｄｏｔ＿Ｃｌｋを生成する。
【００５２】
図４は、図２の信号伝送部によって変調したデータ差動信号及びクロック差動信号を示す信号タイミング図である。図１、図２、図３、図４を参照すれば、クロック差動信号ＤＳ＿Ｃｌｋの１周期に同期して４組のデータ差動信号ＤＳ＿Ｄａｔａ０、ＤＳ＿Ｄａｔａ１、ＤＳ＿Ｄａｔａ２、ＤＳ＿Ｄａｔａ３が伝送及び受信される。
【００５３】
第１データ差動信号ＤＳ＿Ｄａｔａ０は、データ入力チャネルＴｘＩＮ２３、ＴｘＩＮ１７、ＴｘＩＮ１６、ＴｘＩＮ１１、ＴｘＩＮ１０、ＴｘＩＮ５、ＴｘＩＮ２７から受信されたリセット信号ＲＳ、左側−第１ビットＭＳＢのブルーデータＢ［７］、左側−第２ビットのブルーデータＢ［６］、左側−第１ビットＭＳＢのグリーンデータＧ［７］、左側−第２ビットＭＳＢのグリーンデータＧ［６］、左側−第１ビットＭＳＢのレッドデータＲ［７］、左側−第２ビットのレッドデータＲ［６］を含む。
【００５４】
第２データ差動信号ＤＳ＿Ｄａｔａ１は、データ入力チャネルＴｘＩＮ２６、ＴｘＩＮ２５、ＴｘＩＮ２４、ＴｘＩＮ２２、ＴｘＩＮ２１、ＴｘＩＮ２０、ＴｘＩＮ１９から受信されたデータイネーブル信号ＤＥ、垂直同期信号Ｖｓｙｎｃ、水平同期信号Ｈｓｙｎｃ、左側−第３ビットのブルーデータＢ［５］、左側−第４ビットのブルーデータＢ［４］、左側−第５ビットのブルーデータＢ［３］、及び左側−第６ビットのブルーデータＢ［２］を含む。
【００５５】
第３データ差動信号ＤＳ＿Ｄａｔａ２はデータ入力チャネルＴｘＩＮ１８、ＴｘＩＮ１５、ＴｘＩＮ１４、ＴｘＩＮ１３、ＴｘＩＮ２１、ＴｘＩＮ２０、ＴｘＩＮ１９から受信された左側−第７ビットのブルーデータＢ［１］、左側−第８ビットＬＳＢのブルーデータＢ［０］、左側−第３ビットのグリーンデータＧ［５］、左側−第４ビットのグリーンデータＧ［４］、左側−第５ビットのグリーンデータＧ［３］、左側−第６ビットのグリーンデータＧ［２］及び左側−第７ビットのグリーンデータＧ［１］を含む。
【００５６】
第４データ差動信号ＤＳ＿Ｄａｔａ３は、データ入力チャネルＴｘＩＮ７、ＴｘＩＮ６、ＴｘＩＮ４、ＴｘＩＮ３、ＴｘＩＮ２、ＴｘＩＮ１、ＴｘＩＮ０から受信された左側−第８ビットＬＳＢのグリーンデータＢ［０］、左側−第３ビットのレッドデータＲ［５］、左側−第４ビットのレッドデータＲ［４］、左側−第５ビットのレッドデータＲ［３］、左側−第６ビットのレッドデータＲ［２］、左側−第７ビットのレッドデータＲ［１］及び左側−第８ビットＬＳＢのレッドデータＲ［０］を含む。
【００５７】
このような方式で、スケーラ１００は、イネーブル区間に、レッド、グリーン、及びブルーデータ及び制御信号を信号伝送部２１０に供給する。そして、本実施形態に係るスケーラ１００は３次元モードにおいて、ブランキング区間に信号伝送部２１０の入力チャネルのうち少なくとも一つに次のフレームを識別するための左眼用識別データまたは右眼用識別データを供給する。
【００５８】
例えば、スケーラ１００は、第５ビットのレッドデータＲ［５］が入力されるデータ入力チャネルＴｘＩＮ２２に識別データを供給すれば、ブランキング区間に第２データ差動信号ＤＳ＿Ｄａｔａ１に識別データが含まれて転送される。信号受信部２２０は、第２データ差動信号ＤＳ＿Ｄａｔａ１を左眼用識別データまたは右眼用識別データで復元してタイミング制御部３００に供給する。
【００５９】
本実施形態に従がって３次元モードで信号伝送部２１０及び信号受信部２２０の動作は次のようである。
【００６０】
先に、イネーブル区間において、第１信号変調部２１１は、左眼用画像データまたは右眼用画像データを第１パルス信号に変換し、第２信号変調部２１３は第１パルス信号を位相が反転した一組の第１差動信号ＤＳ＿ＤＡＴＡ０、ＤＳ＿ＤＡＴＡ１、ＤＳ＿ＤＡＴＡ２、ＤＳ＿ＤＡＴＡ３に変換して信号受信部２２０に伝送する。
【００６１】
第１信号復調部２２１は、第１差動信号ＤＳ＿ＤＡＴＡ０、ＤＳ＿ＤＡＴＡ１、ＤＳ＿ＤＡＴＡ２、ＤＳ＿ＤＡＴＡ３を受信して、第１パルス信号に変換し、第２信号復調部２２２は第１パルス信号を用いて左眼用画像データまたは右眼用画像データを生成してタイミング制御部３００に供給する。
【００６２】
次に、ブランキング区間において、第１信号変調部２１１は、左眼用識別データまたは右眼用識別データを第２パルス信号に変換し、第２信号変調部２１３は第２パルス信号を位相が反転した一組の第２差動信号ＤＳ＿ＤＡＴＡ０、ＤＳ＿ＤＡＴＡ１、ＤＳ＿ＤＡＴＡ２、ＤＳ＿ＤＡＴＡ３に変換して信号受信部２２０に伝送する。
【００６３】
第１信号復調部２２１は第２差動信号ＤＳ＿ＤＡＴＡ０、ＤＳ＿ＤＡＴＡ１、ＤＳ＿ＤＡＴＡ２、ＤＳ＿ＤＡＴＡ３を受信して第２パルス信号に変換し、第２信号復調部２２２は、第２パルス信号を用いて左眼用識別データまたは右眼用識別データを生成してタイミング制御部３００に供給する。
【００６４】
図５は、図１のタイミング制御部の入力信号を示すタイミング図である。図６は、図１の識別部の動作を説明するためのフローチャートである。
【００６５】
図１、図５及び図６を参照すれば、タイミング制御部３００は、スケーラ１００から供給されたモード信号ＭＯＤＥ＿Ｓに従がって画像モードを判断する。
【００６６】
タイミング制御部３００は、３次元モードで、信号受信部２２０から供給された垂直同期信号、水平同期信号、データイネーブル信号、ドットクロック信号などの制御信号と、左眼用データフレームまたは右眼用データフレームの画像データ並びに左眼用識別データまたは右眼用識別データを受信する。ここでは、第５ビットのレッドデータＢ［５］が転送されるインターフェース部２００のチャネルを介して左眼用識別データ「１」または右眼用識別データ「０」がタイミング制御部３００に転送されることを例として説明する。
【００６７】
識別部３１０は第Ｎフレーム区間Ｎ  ＦＲＡＭＥのブランキング区間ＶＢに受信されるデータを検出して次のフレームである、第Ｎ＋１フレーム区間Ｎ＋１  ＦＲＡＭＥのイネーブルを区間ＥＮに受信される画像データの種類を決定する。
【００６８】
例えば、メモリ３２０にはクロック基準値Ｃｌｋ＿ｒｅｇとライン基準値Ｌｉｎｅ＿ｒｅｇが既保存される。識別部３１０はブランキング区間ＶＢに受信された識別データが左眼用識別データ「１」であるなら、次のフレームの種類を左眼用として決定し、識別データが右眼用識別データ「０」ならば次のフレームの種類を右眼用として決定する。
【００６９】
タイミング制御部３００に、垂直同期信号Ｖｓｙｎｃ、水平同期信号Ｈｓｙｎｃ、データイネーブル信号ＤＥ、ドットクロック信号Ｄｏｔ＿Ｃｌｋ等の制御信号及び左眼用データフレームまたは右眼用データフレームの画像データＩＮ＿Ｄａｔａが受信される（ステップＳ１１１）。
【００７０】
識別部３１０は、データイネーブル信号ＤＥに基づいてブランキング区間ＶＢであるかを判断する（ステップＳ１１２）。
【００７１】
識別部３１０はドットクロック信号Ｄｏｔ＿Ｃｌｋをカウントし、カウント値Ｃｌｋ＿ｃｎｔを「１」ずつ増加させる（ステップＳ１１３）。ステップ（Ｓ１１３）でドットクロック信号Ｄｏｔ＿Ｃｌｋのクロックカウント値Ｃｌｋ＿ｃｎｔが既保存されたクロック基準値Ｃｌｋ＿ｒｅｇより小さければ、識別部３１０はドットクロック信号Ｄｏｔ＿Ｃｌｋに同期して受信された識別データを検出する（ステップＳ１１５）。
【００７２】
ステップ（Ｓ１１３）でドットクロック信号Ｄｏｔ＿Ｃｌｋのカウント値Ｃｌｋ＿ｃｎｔがクロック基準値Ｃｌｋ＿ｒｅｇより大きければ（ステップＳ１１５）、データイネーブル信号ＤＥをカウントし、カウント値Ｌｉｎｅ＿ｃｎｔを「１」ずつ増加させる（ステップＳ１１６）。ステップ（Ｓ１１６）でデータイネーブル信号ＤＥのカウント値Ｌｉｎｅ＿ｃｎｔが既保存されたライン基準値Ｌｉｎｅ＿ｒｅｇより小さければ（ステップＳ１１７）、ステップ（Ｓ１１３）に戻りドットクロック信号Ｃｌｋ＿ｃｎｔをまたカウントする。ステップ（Ｓ１１６）において、データイネーブル信号ＤＥのカウント値Ｌｉｎｅ＿ｃｎｔが既保存されたライン基準値Ｌｉｎｅ＿ｒｅｇより大きければ（ステップＳ１１７）、識別部３１０は今まで検出された識別データに基づいて次のフレームの画像データが、左眼用画像データか右眼用画像データかを決定する。例えば、識別部３１０は検出された識別データが、大部分「１」であれば、次のフレームを左眼用データフレームとして決定し、大部分が「０」であれば、次のフレームを右眼用データフレームとして決定する。
【００７３】
例えば、クロック基準値Ｃｌｋ＿ｒｅｇが「４０」であり、ライン基準値Ｌｉｎｅ＿ｒｅｇが５の場合、識別部３１０は、ブランキング区間ＶＢに含まれた「i」個のデータイネーブル信号ＤＥ１、ＤＥ２、…、ＤＥiのうち、第１〜第５データイネーブル信号ＤＥ１、ＤＥ２、…、ＤＥ５の各々に含まれたドットクロック信号Ｄ＿Ｃｌｋのうち第１〜第４０ドットクロック信号に同期して受信された識別データを検出する。即ち、５×４０個の識別データを検出することができる。従って、識別部３１０は５×４０個の識別データを用いて次のフレームを決定することができる。
【００７４】
タイミング制御部３００は決定された後フレームのデータ情報に基づいて、データ駆動部４１０を制御する。
【００７５】
図７は、比較例に係る表示装置の駆動方法を説明するためのタイミング図である。図７を参照すれば、比較例に係る表示装置は左眼用識別データ及び右眼用識別データを伝送及び受信しない。即ち、スケーラは左眼用データフレームまたは右眼用データフレームの画像データ及び制御信号をインターフェース部を介してタイミング制御部に伝送する。
【００７６】
タイミング制御部は画像モード信号に基づいて画像モードを切り替える。タイミング制御部は３次元モード信号ＭＯＤＥ＿３Ｄが受信されれば、第１画面画像に該当する第１左眼用データフレームＬ１、第１右眼用データフレームＲ１、第２画面画像に該当する第２左眼用データフレームＬ２、第２右眼用データフレームＲ２、第３画面画像に該当する第３左眼用データフレームＬ３、第３右眼用データフレームＲ３等を受信する。このような方式で、タイミング制御部は３次元データフレームである、左眼用データフレーム及び右眼用データフレームを順番に受信するＩＮ_ＤＡＴＡ。
【００７７】
タイミング制御部は受信された左眼用データフレーム及び右眼用データフレームを順にデータ駆動部に出力するＯＵＴ_ＤＡＴＡ。
【００７８】
また、タイミング制御部は３次元モード信号ＭＯＤＥ＿３Ｄに応答して、データ駆動部に反転制御信号ＲＥＶを供給する。反転制御信号ＲＥＶは同じ画面画像に対応する左眼用データフレームと右眼用データフレームのデータ電圧が同一極性を有するように設定される。例えば、タイミング制御部は３次元モード信号ＭＯＤＥ＿３Ｄのハイレバルに応答して第１画面画像に対応する第１左眼用データフレームＬ１と第１右眼用データフレームＲ１は、第１極性（＋）を有し、第２画面画像に対応する第２左眼用データフレームＬ２と第２右眼用データフレームＲ２は、対応する基準電圧Ｖｃｏｍに第１極性（＋）に反転した第２極性（−）を有するように反転制御信号ＲＥＶを生成する。これに従って、データ駆動部は表示パネルに同じ画面画像に対して同一極性の左眼用データ及び右眼用データ電圧は出力するＯＵＴ＿Ｖｄ。このような方式で表示装置は正常モードＮＯＲ_ＭＯＤＥで動作する。
【００７９】
一方、表示装置が静電気などのような突然の外部衝撃で誤作動する場合、タイミング制御部は誤作動信号ＦＡＩＬ＿ＤＥＴを生成し、誤作動信号ＦＡＩＬ＿ＤＥＴのハイレバルに応答して表示装置を誤作動モードＦ＿ＭＯＤＥで動作する。
【００８０】
例えば、誤作動モードＦ＿ＭＯＤＥの場合、タイミング制御部は表示パネルに誤作動モードＦ＿ＭＯＤＥに対応して既設定されたパターン画像を表示するために失敗データＦＡＩＬ＿Ｄを出力する。即ち、タイミング制御部は誤作動モードＦ＿ＭＯＤＥの一定区間の間３次元画像データの受信及び出力を遮断することができる。
【００８１】
誤作動モードＦ＿ＭＯＤＥ以後、タイミング制御部は表示装置を、再び正常モードＮＯＲ_ＭＯＤＥに動作させる。タイミング制御部は、再び３次元画像データを受信し、誤作動信号ＦＡＩＬ＿ＤＥＴのローレベルに応答して受信された３次元画像データを出力するＯＵＴ_ＤＡＴＡ。この時、画面画像の左眼用データフレームから出力せずに、画面画像の右眼用データフレームから出力されることができる。図７に示すように、第１２画面画像の第１２右眼用データフレームＲ１２から順番に出力されるＯＵＴ_ＤＡＴＡ。
【００８２】
タイミング制御部は誤作動信号ＦＡＩＬ＿ＤＥＴのローレベルに応答して設定された反転制御信号ＲＥＶをデータ駆動部に供給する。これに従って、データ駆動部は第１２右眼用データフレームＲ１２と第１３左眼用データフレームＬ１３の画像データは第１極性（＋）のデータ電圧で出力され、第１３右眼用データフレームＲ１３と第１４左眼用データフレームＬ１４のデータは第２極性（−）のデータ電圧で出力されるＯＵＴ＿Ｖｄ。
【００８３】
失敗モード以後の正常モードＮＯＲ_ＭＯＤＥにおいて、データ駆動部は同一画面画像に対して反転した左眼用データ電圧と右眼用データ電圧を出力する。
【００８４】
このように、比較例に係る表示装置は誤作動モードＦ＿ＭＯＤＥ以後、また正常モードＮＯＲ_ＭＯＤＥで動作する場合、タイミング制御部から出力されるフレームの画像データと反転方式が同期しないので３次元画像の表示品質が低下する。
【００８５】
図８は、図１の表示装置の駆動方法を説明するためのタイミング図である。図１及び図８を参照すれば、タイミング制御部３００は３次元モード信号ＭＯＤＥ＿３Ｄのハイレベルに応答して左眼用データフレームまたは右眼用データフレームの画像データと、制御信号及び左眼用識別データまたは右眼用識別データとを受信する。
【００８６】
タイミング制御部３００は、第１フレームＦ１のイネーブル区間ＥＮにデータフレームの画像データを受信し、ブランキング区間ＶＢに識別データを受信する。図８に示すように、タイミング制御部３００は、各フレームＩＮ_ＤＡＴＡのイネーブル区間ＥＮに、例えば、第１左眼用データフレームＬ１、第１右眼用データフレームＲ１、第２左眼用データフレームＬ２、第２右眼用データフレームＲ２、第３左眼用データフレームＬ３、第３右眼用データフレームＲ３を順番に受信する。また、タイミング制御部３００は、各フレーム（図示せず）のブランキング区間ＶＢに左眼用または、右眼用識別データ「１」または「０」を受信する。
【００８７】
識別部３１０は各フレームの識別データを検出し、検出された識別データに基づいて次のフレームの画像データが左眼用画像データであるか、または、右眼用画像データであるかを決定する。識別部３１０は、識別データが左眼用識別データ「１」ならば、次のフレームを左眼用として決定し、右眼用識別データ「０」ならば、次のフレームを右眼用として決定する。
【００８８】
タイミング制御部３００は受信された３次元画像である、第１左眼用データフレームＬ１、第１右眼用データフレームＲ１、第２左眼用データフレームＬ２、第２右眼用データフレームＲ２の順番にデータ駆動部４１０（ＯＵＴ_ＤＡＴＡ）に出力する。
【００８９】
タイミング制御部３００は識別部３１０で決定されたフレームのデータ情報に基づいて反転制御信号ＲＥＶを生成する。例えば、タイミング制御部３００は第１フレームＦ１のブランキング区間に検出された右眼用識別データ「０」に基づいて次のフレームである、第２フレームＦ２が右眼用として決定されることよって、第２フレームＦ２の極性を第１フレームＦ１と同一極性（＋）を有するように反転制御信号ＲＥＶを生成することができる。
【００９０】
これに従って、データ駆動部４１０は表示パネル５００ＯＵＴ＿Ｖｄに同じ画面画像に対して同一極性の左眼用データ電圧及び右眼用データ電圧を出力する。このように、表示装置は正常モードＮＯＲ_ＭＯＤＥに動作する。
【００９１】
一方、表示装置が静電気などのような突然の外部衝撃で誤作動する場合、タイミング制御部３００は誤作動信号ＦＡＩＬ＿ＤＥＴを生成し、誤作動信号ＦＡＩＬ＿ＤＥＴに基づいて表示装置を誤作動モードＦ＿ＭＯＤＥで動作させる。
【００９２】
誤作動モードＦ＿ＭＯＤＥの場合、タイミング制御部３００は、表示パネルに既設定されたパターン画像を表示するために設定された失敗データＦＡＩＬ＿Ｄを出力する。即ち、タイミング制御部３００は、誤作動モードＦ＿ＭＯＤＥの一定区間の間、３次元画像データの受信及び出力を遮断することができる。
【００９３】
以後、タイミング制御部３００は表示装置をまた正常モードＮＯＲ＿ＭＯＦＤＥとして動作させる。再び、タイミング制御部３００は３次元画像データＩＮ_ＤＡＴＡを受信する。
【００９４】
図８に示すように、タイミング制御部３００はイネーブル区間ＥＢにデータフレームＬ１２を受信し、ブランキング区間ＶＢに識別データ「０」を受信する。識別部３１０はブランキング区間に検出された識別データ「０」を用いて次のフレーム、即ち、第２４フレームＦ２４を右眼用として決定する。
【００９５】
タイミング制御部３００は誤作動信号ＦＡＩＬ＿ＤＥＴのローレベルに応答して受信された３次元画像データを出力する。図８に示すように、タイミング制御部３００は第１２右眼用データフレームＲ１２から順番に出力される。
【００９６】
タイミング制御部３００は、識別部３１０として決定された第２４フレームＦ２４のデータ情報に基づいて第２４フレームＦ２４に対応する反転制御信号ＲＥＶを生成する。第２４フレームＦ２４は第１２画面画像の右眼用データフレームＲ１２が処理される区間である。従って、第２４フレームＦ２４の反転制御信号ＲＥＶは第１２画面画像の左眼用データフレームＬ１２が処理される区間の第２３フレームＦ２３の反転制御信号ＲＥＶと同一位相を有する。図８に示すように、データ駆動部４１０は反転制御信号ＲＥＶＯＵＴ＿Ｖｄに基づいて第１２右眼用データフレームＲ１２の画像データを第１極性のデータ電圧で出力する。
【００９７】
データ駆動部４１０は反転制御信号ＲＥＶＯＵＴ＿Ｖｄに基づいて、第１３左眼用データフレームＬ１３及び第１３右眼用データフレームＲ１３を第１２右眼用データフレームＲ１２と反転した極性の第２極性（−）のデータ電圧を各々出力する。
【００９８】
結果的に、タイミング制御部３００は識別部３１０で決定された後、フレームのデータ情報に基づいて反転制御信号ＲＥＶを生成することによって、データ駆動部４１０は同じ画面画像に対応する左眼用画像データ及び右眼用画像データを同一極性の左眼用及び右眼用データ電圧に出力する。
【００９９】
これと共にみた
実施形態に係る表示装置は誤作動モードＦ＿ＭＯＤＥ以後、再び、正常モードＮＯＲ_ＭＯＤＥで動作する場合、タイミング制御部３００から出力されるデータフレームに反転制御信号ＲＥＶが３次元画像の表示品質を向上させることができる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１０１】
本発明の実施形態によれば、フレームのブランキング区間に受信されたフレームの識別データに基づいて受信されたデータフレームが左眼用画像データか右眼用画像データかを正確に判断することによって、３次元画像の表示品質を向上させることができる。また、タイミング制御部はフレーム識別データを受信するための別途のピンが不要なので回路構成が簡単にできる。
【符号の説明】
【０１０２】
１００…スケーラ、２００…インターフェース部、２１０…信号伝送部、２２０…信号受信部、３００…タイミング制御部、３１０…識別部、３２０…メモリ、４００…パネル駆動部、４１０…データ駆動部、４２０…ゲート駆動部、５００…表示パネル。
【図１】
2012209930.tif 000003
【図２】
2012209930.tif 000004
【図３】
2012209930.tif 000005
【図４】
2012209930.tif 000006
【図５】
2012209930.tif 000007
【図６】
2012209930.tif 000008
【図７】
2012209930.tif 000009
【図８】
2012209930.tif 000010